【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
親局と複数の子局とを備える通信システムであって、
前記親局と前記複数の子局とは、複数段ライン接続またはループ接続されており、
前記親局は、
前記複数の子局のそれぞれが、前段の局から受信したデータから再生された再生クロックに従って後段の局へのデータ送信を行う第一のデータ中継方式と、自局において生成されたローカルクロックに従って後段の局へのデータ送信を行う第二のデータ中継方式と、の何れの中継方式を採用すべきかを、前記複数の子局の状態を示す情報に基づいて決定する決定手段を備えることを特徴とする通信システム。
【請求項２】
前記複数の子局の状態を示す情報は、前記親局から送信されたデータを中継する子局の数を示す中継局数であり、
前記決定手段は、前記中継局数と、予め定められた許容中継局数と、に基づいて、前記複数の子局のそれぞれが採用すべき中継方式を決定することを特徴とする請求項１に記載の通信システム。
【請求項３】
前記決定手段は、前記中継局数が前記許容中継局数を超過する場合、前記許容中継局数の整数倍に対応する位置にある子局が前記第二のデータ中継方式を採用し、その他の位置に対応する子局が前記第一のデータ中継方式を採用するように決定することを特徴とする請求項２に記載の通信システム。
【請求項４】
前記複数の子局の状態を示す情報は、前記複数の子局のそれぞれにおけるデータ誤り発生率であり、
前記決定手段は、前記データ誤り発生率のそれぞれと、予め定められた許容値とに基づいて、前記複数の子局のそれぞれが採用すべき中継方式を決定することを特徴とする請求項１に記載の通信システム。
【請求項５】
前記決定手段は、前記データ誤り発生率が前記許容値を超過する子局の前段の局が、前記第二のデータ中継方式を採用するように決定することを特徴とする請求項４に記載の通信システム。
【請求項６】
前記複数の子局のそれぞれは、
前記親局から出力されたテスト信号に基づいて自局のデータ誤り発生率を計測する計測手段を備えることを特徴とする請求項４または５に記載の通信システム。
【請求項７】
前記計測手段は、前記テスト信号と、本来受信されるべきテスト信号との差異に基づいて自局のデータ誤り発生率を計測することを特徴とする請求項６に記載の通信システム。 
【請求項８】
前記複数の子局の状態を示す情報は、前記複数の子局のそれぞれにおける前記再生クロックのジッタ量であり、
前記決定手段は、前記ジッタ量のそれぞれと、予め定められた許容値とに基づいて、前記複数の子局のそれぞれが採用すべき中継方式を決定することを特徴とする請求項１に記載の通信システム。
【請求項９】
前記決定手段は、前記ジッタ量が前記許容値を超過する子局の前段の局が、前記第二のデータ中継方式を採用するように決定することを特徴とする請求項８に記載の通信システム。
【請求項１０】
前記子局は、
前段の局から受信したデータを前記再生クロックに同期して取り入れ、第一のデータとして出力する受信手段と、
前記ローカルクロックと前記再生クロックのどちらか一方を選択し、送信クロックとして出力する第一のセレクタ手段と、
前記第一のデータを前記再生クロックに同期して取り入れ、前記送信クロックに同期して取り出し、第二のデータとして出力するバッファ手段と、
所定長の任意のデータを生成する生成手段と、
前記第一のデータ、前記第二のデータ、前記任意のデータのどれか１つを選択し、第三のデータとして出力する第二のセレクタ手段と、
前記第一のセレクタ手段及び前記第二のセレクタ手段を制御するセレクタ制御手段と、前記送信クロックに従って後段の局へデータ送信を行う送信手段と、を備え、
前記セレクタ制御手段は、
自局が前記第二のデータ中継方式を採用しており、且つ前記決定手段が前記第一のデータ中継方式への変更を決定した場合には、
前記再生クロックと前記ローカルクロックとの位相差が許容値以内の期間に前記送信クロックとして前記再生クロックを選択し、その後、有効なデータが伝送されないアイドル期間に前記第三のデータとして前記第一のデータを選択するよう前記第一のセレクタ手段及び前記第二のセレクタ手段を制御し、
自局が前記第一のデータ中継方式を採用しており、且つ前記決定手段が前記第二のデータ中継方式への変更を決定した場合には、
前記再生クロックと前記ローカルクロックとの位相差が許容値以内の期間に前記送信クロックとして前記ローカルクロックを、前記第三のデータとして前記任意のデータをそれぞれ選択し、前記任意のデータの送信の後、前記第三のデータとして前記第二のデータを選択するよう前記第一のセレクタ手段及び前記第二のセレクタ手段を制御することを特徴とする請求項１乃至９の何れか１項に記載の通信システム。
【請求項１１】
親局と複数の子局とを備える通信システムの制御方法であって、
前記親局と前記複数の子局とは、複数段ライン接続またはループ接続されており、
前記親局において、
前記複数の子局のそれぞれが、前段の局から受信したデータから再生された再生クロックに従って後段の局へのデータ送信を行う第一のデータ中継方式と、自局において生成されたローカルクロックに従って後段の局へのデータ送信を行う第二のデータ中継方式と、の何れの中継方式を採用すべきかを、前記複数の子局の状態を示す情報に基づいて決定する決定工程を有することを特徴とする通信システムの制御方法。
【請求項１２】
複数の子局と通信可能な親局として動作する通信装置であって、
前記複数の子局と複数段ライン接続またはループ接続により接続する接続手段と、
前記複数の子局のそれぞれが、前段の局から受信したデータから再生された再生クロックに従って後段の局へのデータ送信を行う第一のデータ中継方式と、自局において生成されたローカルクロックに従って後段の局へのデータ送信を行う第二のデータ中継方式と、の何れの中継方式を採用すべきかを、前記複数の子局の状態を示す情報に基づいて決定する決定手段と、
を備えることを特徴とする通信装置。
【請求項１３】
前記複数の子局の状態を示す情報は、前記通信装置から送信されたデータを中継する子局の数を示す中継局数であり、
前記決定手段は、前記中継局数と、予め定められた許容中継局数と、に基づいて、前記複数の子局のそれぞれが採用すべき中継方式を決定することを特徴とする請求項１２に記載の通信装置。
【請求項１４】
前記決定手段は、前記中継局数が前記許容中継局数を超過する場合、前記許容中継局数の整数倍に対応する位置にある子局が前記第二のデータ中継方式を採用し、その他の位置に対応する子局が前記第一のデータ中継方式を採用するように決定することを特徴とする請求項１３に記載の通信装置。
【請求項１５】
前記複数の子局の状態を示す情報は、前記複数の子局のそれぞれにおけるデータ誤り発生率であり、
前記決定手段は、前記データ誤り発生率のそれぞれと、予め定められた許容値とに基づいて、前記複数の子局のそれぞれが採用すべき中継方式を決定することを特徴とする請求項１２乃至１４の何れか１項に記載の通信装置。
【請求項１６】
前記決定手段は、前記データ誤り発生率が前記許容値を超過する子局の前段の局が、前記第二のデータ中継方式を採用するように決定することを特徴とする請求項１５に記載の通信装置。
【請求項１７】
前記複数の子局の状態を示す情報は、前記複数の子局のそれぞれにおける前記再生クロックのジッタ量であり、
前記決定手段は、前記ジッタ量のそれぞれと、予め定められた許容値とに基づいて、前記複数の子局のそれぞれが採用すべき中継方式を決定することを特徴とする請求項１２乃至１６の何れか１項に記載の通信装置。
【請求項１８】
前記決定手段は、前記ジッタ量が前記許容値を超過する子局の前段の局が、前記第二のデータ中継方式を採用するように決定することを特徴とする請求項１７に記載の通信装置。
【請求項１９】
コンピュータを、請求項１２乃至１８の何れか１項に記載の通信装置として機能させるためのプログラム。